(57)【要約】【課題】光学式記録媒体への光ビームの影響を少なくし、安定した光ビームの照射が可能な光ピックアップ装置を提供する。【解決手段】光学式記録媒体への光ビームとなる前光と測定光となる後光とを出射するレーザダイオード２と、後光の強度を測定する後光受光素子４と、測定された後光の強度と前光の強度との相関関係を示す相関データテーブルが記憶された記憶部６と、測定された後光の強度から相関データテーブルを参照して、前光の強度を調整する制御部７とを備えた。予め前光の強度と後光の強度との相関関係を示す相関データテーブルを作成し、この相関データテーブルに基づいて、測定された後光の強度から前光の強度を調整するので、前光と後光の強度の関係が一定でなくとも、正確に光学式記録媒体へ照射する光の強度を調整することができる。【選択図】図１
2007035111.tif 000002
【特許請求の範囲】
【請求項１】
光学式記録媒体への光ビームとなる主光と測定光となる副光とを出射する光源と、
前記副光の強度を測定する測定手段と、
測定された副光の強度と主光の強度との相関関係を示す相関データテーブルが記憶された記憶手段と、
前記測定された副光の強度から前記相関データテーブルを参照して、前記主光の強度を調整する制御手段とを備えたことを特徴とする光ピックアップ装置。
【請求項２】
光学式記録媒体への主光を出射する光源と、
前記主光を反射する反射手段と、
前記反射手段からの反射光の光路を変更して測定光とする光路変更手段と、
前記光路変更手段からの測定光の強度を測定する測定手段と、
測定された測定光の強度と前記光源を駆動する電流との相関関係を示す相関データテーブルが記憶された記憶手段と、
前記相関データテーブルを参照して、前記光源を駆動する電流を調整する制御手段とを備えたことを特徴とする光ピックアップ装置。
【請求項３】
前記反射手段の反射率は、前記光学式記録媒体と略等しい反射率としたことを特徴とする請求項２記載の光ピックアップ装置。
【請求項４】
前記反射手段を、前記光学式記録媒体の反射率に応じて１以上設けたことを特徴とする請求項３記載の光ピックアップ装置。
【発明の詳細な説明】
【技術分野】
【０００１】
本発明は、光学式記録媒体に、情報の記録や再生を行う光ピックアップ装置に関する。
【背景技術】
【０００２】
ＤＶＤ（Digital Versatile Disk）ドライブやＣＤ（Compact Disc）ドライブなどの光学式情報記録再生装置では、ＤＶＤや、ＣＤ−Ｒ／ＲＷなどの光学式記録媒体へ光ビームを照射して記録再生消去を行う。その際には、光学式情報記録再生装置に設けられた光ピックアップ装置が光ビームを光学式記録媒体へ照射することで行われる。
【０００３】
ピックアップ装置は、光学式記録媒体への光ビームを安定させるために、光ビームの強度を正確にモニタして、光ビームへ帰還させている。このような光ビームの安定化を図った光ピックアップ装置が特許文献１に記載されている。
【０００４】
特許文献１に記載の光ピックアップ装置は、分岐素子を介して測定光とした光ビームを前光モニタ素子で測定し、この前光モニタ素子の出力信号を非線形に補正した補正信号で光ビームの出力を調整するものである。
【特許文献１】特開２００３−３０８６２３号公報
【発明の開示】
【発明が解決しようとする課題】
【０００５】
しかし、特許文献１に記載の光ピックアップ装置では、分岐素子が光ビームを光学式記録媒体に照射する手前で分岐させて、前光モニタ素子により強度を測定しているので、光ビームの照射の妨げになる。光学式記録媒体は高倍速化が進むにつれて、光ビームの強度も高いものが要求されている。従って光ビームの照射を阻害する分岐素子などがレーザと光学式記録媒体との間に介在していると光ビーム強度の低下となる。例えば、分岐素子が分岐させた光を測定光とする場合には、光学式記録媒体へ向かう光量への影響を少なくするために反射率を低いものとすれば、測定光の光量が少なくなり測定誤差が大きくなって安定した光ビームの調整が困難になる。
【０００６】
レーザの測定光である後光を測定して主光である前光を調整するピックアップ装置もあるが、レーザの前光の強度が高くなるにつれて、後光との強度が一定な関係とはならなくなってきているので、後光の強度に基づいて前光の強度を調整すると、前光の強度がばらついて安定しない状態となる。
【０００７】
そこで本発明の目的は、光学式記録媒体への光ビームの影響を少なくし、安定した光ビームの照射が可能な光ピックアップ装置を提供することにある。
【課題を解決するための手段】
【０００８】
本発明の光ピックアップ装置は、光学式記録媒体への光ビームとなる主光と測定光となる副光とを出射する光源と、前記副光の強度を測定する測定手段と、測定された副光の強度と主光の強度との相関関係を示す相関データテーブルが記憶された記憶手段と、前記測定された副光の強度から前記相関データテーブルを参照して、前記主光の強度を調整する制御手段とを備えたことを特徴としたものである。
【０００９】
また、光学式記録媒体への主光を出射する光源と、前記主光を反射する反射手段と、前記反射手段からの反射光の光路を変更して測定光とする光路変更手段と、前記光路変更手段からの測定光の強度を測定する測定手段と、測定された測定光の強度と前記光源を駆動する電流との相関関係を示す相関データテーブルが記憶された記憶手段と、前記相関データテーブルを参照して、前記光源を駆動する電流を調整する制御手段とを備えたことを特徴としたものである。
【発明の効果】
【００１０】
本発明においては、主光の強度と副光の強度との相関関係を示す相関データテーブルを作成し、この相関データテーブルに基づいて測定された副光の強度から主光の強度を調整するので、主光である光学式記録媒体への光ビームの影響を少なくし、安定した光ビームの照射が可能な光ピックアップ装置とすることができる。
【発明を実施するための最良の形態】
【００１１】
本願の第１の発明は、光学式記録媒体への光ビームとなる主光と測定光となる副光とを出射する光源と、副光の強度を測定する測定手段と、測定された副光の強度と主光の強度との相関関係を示す相関データテーブルが記憶された記憶手段と、測定された副光の強度から相関データテーブルを参照して、主光の強度を調整する制御手段とを備えたことを特徴としたものである。
【００１２】
予め主光の強度と副光の強度との相関関係を示す相関データテーブルを作成し、この相関データテーブルに基づいて、測定された副光の強度から主光の強度を調整するので、主光と副光の強度の関係が一定でなくとも、正確に光学式記録媒体へ照射する光の強度を調整することができる。また、副光を測定して主光を調整しているので、主光を遮るものがないため、光学式記録媒体への光ビームの影響を少なくし、安定した光ビームの照射が可能である。また、主光を測定するための分岐素子を不要とすることができる。
【００１３】
本願の第２の発明は、光学式記録媒体への主光を出射する光源と、主光を反射する反射手段と、反射手段からの反射光の光路を変更して測定光とする光路変更手段と、光路変更手段からの測定光の強度を測定する測定手段と、測定された測定光の強度と光源を駆動する電流との相関関係を示す相関データテーブルが記憶された記憶手段と、相関データテーブルを参照して、光源を駆動する電流を調整する制御手段とを備えたことを特徴としたものである。
【００１４】
予め主光の強度と駆動電流との相関関係を示す相関データテーブルを作成し、光学式記録媒体への再生、記録、または消去するときに、この相関データテーブルに基づいて、光源の駆動電流を調整するので、正確に光学式記録媒体へ照射する光の強度を調整することができる。
【００１５】
本願の第３の発明は、反射手段の反射率は、光学式記録媒体と略等しい反射率としたことを特徴としたものである。
【００１６】
反射手段を光学式記録媒体と等しい反射率としているので、正確に駆動電流に対する主光の強度を測定することができる。
【００１７】
本願の第４の発明は、反射手段を、光学式記録媒体の反射率に応じて１以上設けたことを特徴としたものである。
【００１８】
反射手段を光学式記録媒体の反射率に応じて１以上設けることで、複数の光学式記録媒体へ再生、記録または消去を行う場合でも、正確に駆動電流に対する主光の強度を測定することができる。
【００１９】
（実施の形態）
本発明の実施の形態に係る光ピックアップ装置を図に基づいて説明する。図１は、本発明の実施の形態に係る光ピックアップ装置の構成を説明する図である。図２は、相関データテーブルを説明する駆動電流とレーザダイオードが出射する光の強度の関係を示すグラフである。
【００２０】
図１に示すように、光ピックアップ装置１は、光ディスク装置１０に搭載されており、図示しないＣＤ−ＲＯＭ，ＣＤ−Ｒ，ＣＤ−ＲＷ，ＤＶＤ±ＲＷ，ＤＶＤ±Ｒ，ＤＶＤ−ＲＡＭなどの光学式記録媒体の再生、記録、消去を行っている。光ピックアップ装置１は、光源であるレーザダイオード２と、対物レンズ３と、後光受光素子４と、レーザダイオードドライバ５と、記憶部６と、制御部７とを備えている。
【００２１】
レーザダイオード２は、光学式記録媒体への光ビームとなる前光（主光）と、測定光となる後光（副光）とを出射する。
【００２２】
対物レンズ３は、光学式記録媒体に照射される前光を収束する機能を有している。
【００２３】
後光受光素子４は、レーザダイオード２の後側に配置され、レーザダイオード２から出射された後光の強度を測定して信号に変換して制御部７へ通知する測定手段である。
【００２４】
レーザダイオードドライバ５は、制御部７からの信号に応じた駆動電流をレーザダイオード２へ流す。
【００２５】
記憶部６は、後光受光素子４により測定された後光の強度と、前光の強度との相関関係を示す相関データテーブルが記憶された記憶手段である。ここで記憶部６に記憶される相関データテーブルについて詳細に説明する。
【００２６】
図２に示すように、レーザダイオード２の前光と後光とは、レーザダイオードドライバ５から駆動される電流に応じた光を出射するが、その関係は一定ではない。相関データテーブルは、所定駆動電流毎の後光の強度のデータと前光の強度のデータとをテーブルとしたものである。つまり、相関データテーブルを参照することで、後光の強度から前光の強度を一意に検索することが可能である。
【００２７】
このような相関データテーブルを記憶する記憶部６は、光ディスク装置１０の電源が切断されても、データが保存されているのが望ましいので、バッテリバックアップメモリや、ＥＰＲＯＭ（Erasable Programmable Read Only Memory）や、フラッシュＲＯＭや、その他の不揮発性メモリが使用できる。
【００２８】
図１に戻って、制御部７は、後光受光素子４で測定された後光の強度から、記憶部６の相関データテーブルを参照して、前光の強度を調整する機能を有している。
【００２９】
なお、制御部７および記憶部６は、光ピックアップ装置１に搭載されている必要がなく光ディスク装置１０に組み込まれていればよい。
【００３０】
以上のように構成される本発明の実施の形態に係る光ピックアップ装置１の動作を図３および図４に基づいて説明する。図３は、制御部が記憶部の相関データテーブルを作成する際の動作を説明するフローチャートである。図４は、制御部がレーザダイオードの光量を調整する際の動作を説明するフローチャートである。
【００３１】
まず、制御部７が記憶部６の相関データテーブルを作成する際の動作を図３に基づいて説明する。まず相関データテーブルを作成するに当たっては、前光を受光して信号に変換する前光受光素子８と、前光受光素子８からの信号に基づいて記憶部６へ前光の強度のデータを送信する測定装置９を準備する。
【００３２】
レーザダイオード２への駆動電流が最小値となるように、制御部７がレーザダイオードドライバ５へ信号を出力する（Ｓ１０）。
【００３３】
次に、制御部７は、後光受光素子４からの信号を入力して後光の強度のデータを、記憶部６の相関データテーブルに駆動電流と対応させて格納する（Ｓ２０）。そして制御部７は、測定装置９から前光受光素子８が測定した前光の強度のデータを入力して、記憶部６の相関データテーブルに先程格納した後光の強度のデータと対応させて格納する（Ｓ３０）。
【００３４】
制御部７は、現在レーザダイオードドライバ５が駆動している電流値が最大値か否かを判定する。最大値とはレーザダイオードドライバ５を駆動可能な最大の電流値、または光学式記録媒体を再生、記録、消去するに必要な駆動電流にマージン値を加えた電流値である（Ｓ４０）。
【００３５】
制御部７は、Ｓ４０での判定がまだ最大値でないと判断した場合には、駆動電流を所定値アップさせ、Ｓ２０へ移行する（Ｓ５０）。
【００３６】
制御部７は、Ｓ４０での判定が最大値であると判断した場合には、相関データテーブルの作成は完了したので処理を終了する（Ｓ６０）。このようにして、予め記憶部６の相関データテーブルは作成される。
【００３７】
次に、制御部７がレーザダイオード２の光量を調整する際の動作を図４に基づいて説明する。この場合には、図１に示される前光受光素子８および測定装置９とは取り除かれており、光学式記録媒体が配置された状態である。また制御部７は、現在の前光の強度の度合いを記憶しているものとする。
【００３８】
図４に示すように、まず制御部７は、光学式記録媒体への再生、記録、消去のいずれかを行うに当たって必要な前光の強度に基づいて、相関データテーブルを参照して、その必要な前光の強度に対応する後光の強度のデータを検索する（Ｓ１００）。
【００３９】
制御部７は、必要となる前光の強度が、現在の出力している前光の強度より高い場合は、駆動電流を増加させ、現在の前光の強度より低い場合には駆動電流を減少させる（Ｓ１１０）。
【００４０】
制御部７は、後光受光素子４から後光の強度の信号を入力する（Ｓ１２０）。
【００４１】
制御部７は、入力した後光の強度が相関データテーブルを検索して抽出した後光の強度と一致したか否かを判定して、一致していないと制御部７が判断した場合は、Ｓ１１０へ移行して、実施した駆動電流の増加または減少を更に行う（Ｓ１３０）。
【００４２】
Ｓ１３０にて一致したと判定された場合には、後光の強度が所定値となったと判断して、制御部７は、光学式記録媒体の再生、記録、または消去を行う（Ｓ１４０）。
【００４３】
このように、予め前光の強度と後光の強度との相関関係を示す相関データテーブルを作成し、この相関データテーブルに基づいて、測定された後光の強度から前光の強度を調整するので、前光と後光の強度の関係が一定でなくとも、正確に光学式記録媒体へ照射する光の強度を調整することができる。また、後光を測定して前光を調整しているので、前光を遮るものがないため、光学式記録媒体への光ビームの影響を少なくし、安定した光ビームの照射が可能である。また、前光を測定するための分岐素子や、前光の散乱光を測定する測定装置が不要とすることができる。
【００４４】
なお、本実施の形態ではレーザダイオードドライバ５から出射された後光を副光として後光受光素子４で後光の強度を測定しているが、前光の散乱光を副光として測定するようにしてもよい。
【００４５】
次に、本発明の他の実施の形態に係る光ピックアップ装置を図５に基づいて説明する。図５は、本発明の他の実施の形態に係る光ピックアップ装置の構成を説明する図である。なお、図５においては図１と同じ構成は同符号を付して説明を省略する。
【００４６】
図５に示すように、光ピックアップ装置１１は、光ディスク装置２０に搭載されている。光ピックアップ装置１１は、主光である前光を測定して、レーザダイオードから出射される光の強度を調整するものである。
【００４７】
光ピックアップ装置１１は、レーザダイオード１２から出射された前光を平行した光に変換する導光レンズ１３と、ビームスプリッタ１４と、ビームスプリッタ１４にて分岐した一部の光を集光する集光レンズ１５と、集光レンズ１５で集光した光の強度を測定して制御部７へ出力する受光素子１６と、ビームスプリッタ１４を通過した光を反射させる反射板１７とを備えている。
【００４８】
レーザダイオード１２は、前光のみを出射するレーザであるが、後光を出射するレーザダイオードとしてもよい。
【００４９】
ビームスプリッタ１４は、反射板１７からの戻り光の光路を９０°方向を変更して測定光とする光路変更手段である。
【００５０】
反射板１７は、前光が照射される光学式記録媒体と対物レンズ３からの距離が同じとなる位置であり、光ピックアップ装置１１がシークするに移動可能な範囲であり、かつ光学式記録媒体への再生、記録、または消去の際に邪魔にならない位置に設けられている。反射板１７の反射率は、再生、記録、または消去する光学式記録媒体と略等しい反射率としている。複数種類の光学式記録媒体の再生、記録、または消去可能な光ピックアップ装置１１であれば、その種類に応じて、それぞれの反射率とした反射板１７を設けるようにしてもよい。
【００５１】
以上のように構成される本発明の他の実施の形態に係る光ピックアップ装置１１の動作を説明する。
【００５２】
まず、制御部７が、記憶部６に相関データテーブルを作成する。その際には、レーザダイオード１２からの出射された前光がビームスプリッタ１４を通過して反射板１７へ到達するように、反射板１７が設置されている位置へ光ピックアップ装置１１を調整する。
【００５３】
制御部７は、図３で行ったようにレーザダイオード２への駆動電流が最小値となるように、制御部７がレーザダイオードドライバ５へ信号を出力する。
【００５４】
レーザダイオード１２から出射された前光は、ビームスプリッタ１４を通過し、対物レンズ３で集光され、反射板１７へ到達する。反射板１７に到達した前光は戻り光となって、ビームスプリッタ１４へ到達する。ビームスプリッタ１４へ到達した戻り光は、９０°方向が変更され測定光として集光レンズ１５を介して受光素子１６へ到達する。
【００５５】
受光素子１６へ到達した第２の測定光は、受光素子１６により、その強度が測定され制御部７へ出力される。
【００５６】
制御部７は、レーザダイオード１２を駆動している電流値に対応させて測定光の強度を相関データテーブルに格納する。
【００５７】
制御部７は、駆動電流を所定値アップさせる。これを最大電流値まで繰り返して相関データテーブルを作成する。
【００５８】
次に、制御部７がレーザダイオード１２の光量を調整する際の動作を説明する。
【００５９】
光ピックアップ装置１１が光学式記録媒体に再生、記録、または消去するときは、対物レンズ３が焦点を結ぶ位置が、光学式記録媒体上の所定の位置となるまでシークする。
【００６０】
そして、制御部７は、光学式記録媒体への再生、記録、または消去に必要となる前光の強度から相関データテーブルを参照して、その前光の強度に対応する駆動電流値を検索する。
【００６１】
必要となる前光の強度に対応する駆動電流の値が検索されたら、制御部７は検索された駆動電流値となるようにレーザダイオードドライバ５へ信号を出力する。
【００６２】
このようにして、予め前光の強度と駆動電流との相関関係を示す相関データテーブルを作成し、光学式記録媒体への再生、記録、または消去するときに、この相関データテーブルに基づいて、レーザダイオード１２の駆動電流を調整するので、正確に光学式記録媒体へ照射する光の強度を調整することができる。また、分岐素子として等価な機能を有するビームスプリッタがレーザダイオードドライバ５と光学式記録媒体との間に介在するが、光学式記録媒体への再生、記録、または消去するときは、前光を分岐させていないので、反射率を低いものとすることができる。
【産業上の利用可能性】
【００６３】
本発明は、光学式記録媒体への光ビームの影響を少なくし、安定した光ビームの照射が可能なので、光学式記録媒体に情報の記録や再生を行う光ピックアップ装置に好適である。
【図面の簡単な説明】
【００６４】
【図１】本発明の実施の形態に係る光ピックアップ装置の構成を説明する図
【図２】相関データテーブルを説明する駆動電流とレーザダイオードが出射する光の強度の関係を示すグラフ
【図３】制御部が記憶部の相関データテーブルを作成する際の動作を説明するフローチャート
【図４】制御部がレーザダイオードの光量を調整する際の動作を説明するフローチャート
【図５】本発明の他の実施の形態に係る光ピックアップ装置の構成を説明する図
【符号の説明】
【００６５】
１，１１  光ピックアップ装置
２，１２  レーザダイオード
３  対物レンズ
４  後光受光素子
５  レーザダイオードドライバ
６  記憶部
７  制御部
８  前光受光素子
９  測定装置
１０，２０  光ディスク装置
１３  導光レンズ
１４  ビームスプリッタ
１５  集光レンズ
１６  受光素子
１７  反射板
【図１】
2007035111.tif 000003
【図２】
2007035111.tif 000004
【図３】
2007035111.tif 000005
【図４】
2007035111.tif 000006
【図５】
2007035111.tif 000007